(57)【要約】  本発明は薬剤送達デバイスのための駆動ユニット(110；328)を具備し、当該ユニットは、長手方向に延在する長尺なプランジャーロッド(112；346)と、このプランジャーロッド(112；346)に駆動力を加えることができる駆動力要素(114；418)と、この駆動力要素(114；418)がプランジャーロッド(112；346)に駆動力を及ぼしているとき付勢状態で長尺なプランジャーロッド(112；346)を解放可能に保持するために長尺なプランジャーロッド(112；346)に動作可能に接続されたアクチュエータ(160；376)と、保持位置でアクチュエータ(160；376)を解放可能に保持するためにアクチュエータ(160；376)に動作可能に接続されたアクティベータ(180；398)とを具備し、アクチュエータ(160；376)は、プランジャーロッド(112；346)を解放するためのアクティベータ(180；398)の変位の際、長手方向に対して略横方向に保持位置から動作可能であるように設計されることを特徴とする。
2020534959.tif 000002
【特許請求の範囲】
【請求項１】
薬剤送達デバイス用の駆動ユニット（１１０；３２８）であって、前記駆動ユニットは、
長手方向に延在する長尺なプランジャーロッド（１１２；３４６）と、
前記長尺なプランジャーロッド（１１２；３４６）に駆動力を加えることができる駆動力要素（１１４；４１８）と、
前記駆動力要素（１１４；４１８）が前記長尺なプランジャーロッド（１１２；３４６）に駆動力を及ぼしているとき、前記長尺なプランジャーロッド（１１２；３４６）を付勢状態で解放可能に保持するために前記長尺なプランジャーロッド（１１２；３４６）に対して動作可能に接続されたアクチュエータ（１６０；３７６）と、
保持位置において前記アクチュエータ（１６０；３７６）を解放可能に保持するために前記アクチュエータ（１６０；３７６）に動作可能に接続されたアクティベータ（１８０，３９８）と、を具備し、
前記アクチュエータ（１６０；３７６）は、前記プランジャーロッド（１１２；３４６）を解放するための前記アクティベータ（１８０；３９８）の変位の際に、前記長手方向に対して略横方向に、前記保持位置から動作可能であるように構成されていることを特徴とする駆動ユニット。
【請求項２】
前記プランジャーロッド（１１２；３４６）は、前記アクチュエータ（１６０；３７６）上の、対応する協働要素（１７０；３９２）と相互作用するように配置された協働要素（１７２；３９６）を備え、前記アクチュエータ（１６０；３７６）は、前記協働要素（１７２；３９６）および前記対応する協働要素（１７０；３９２）が付勢状態で前記長尺なプランジャーロッド（１１２；３４６）を解放可能に保持するために互いに相互作用する保持位置と、前記協働要素（１７２；３９６）および前記対応する協働要素（１７０；３９２）が、前記長尺なプランジャーロッド（１１２；３４６）が付勢状態から解放されるように、もはや互いに相互作用しない解放位置との間で、前記長手方向に対して略横方向に動作可能である、請求項１に記載の駆動ユニット。
【請求項３】
前記協動要素（１７２；３９６）は半径方向に延びる突起であり、かつ、前記対応する協動要素（１７０；３９２）は停止レッジである、請求項２に記載の駆動ユニット。
【請求項４】
前記停止レッジ（１７０；３９２）は、前記長尺なプランジャーロッド（１１２；３４６）に作用する、付勢された前記駆動力要素（１１４；４１８）からの力によって、半径方向に延在する突起が前記停止レッジに沿ってスライドできるように前記長手方向に対して傾斜しており、これによって前記アクチュエータ（１６０；３７６）は、前記アクティベータ（１８０；３９８）の長手方向の動作時に、前記保持位置から前記解放位置へと強制的に動作させられる、請求項３に記載の駆動ユニット。
【請求項５】
前記アクチュエータが、前記プランジャーロッド（１１２；３４６）上の前記突起と相互作用するガイド要素（１６６；３９４）をさらに備える、請求項４に記載の駆動ユニット。
【請求項６】
前記アクチュエータ（１６０；３７６）は、前記アクティベータ（１８０；３９８）によって前記保持位置に保持される、請求項２ないし請求項５のいずれか１項に記載の駆動ユニット。
【請求項７】
前記アクティベータ（１８０；３９８）は、前記アクチュエータ（１６０；３７６）をブロックする第１の位置と、前記アクチュエータ（１６０；３７６）のブロックを解除する第２の位置との間で、前記アクチュエータ（１６０；３７６）に対して長手方向にスライド可能に配置される、請求項６に記載の駆動ユニット。
【請求項８】
前記アクティベータ（１８０；３９８）は、前記アクティベータが前記第２の位置に到達するまで、前記アクチュエータ（１６０；３７６）のガイド面（１７４；３８６）と協働するように構成されたガイド面（１９２；４１４）を備える、請求項７に記載の駆動ユニット。
【請求項９】
前記プランジャーロッド（１１２；３４６）を略取り囲みかつそれを案内するプランジャーロッドホルダー（１１８；３３０）に対して固定的に接続されたエンドキャップ（１４４；３６４）と、前記エンドキャップ（１４４；３４６）と前記アクティベータ（１８０；３９８）との間に配置されたアクティベータスプリング（２００；４１６）と、をさらに備える、請求項８に記載の駆動ユニット。
【請求項１０】
前記プランジャーロッドの移動中に可聴および触覚情報を提供するために、前記プランジャーロッドと相互作用するように配置されたシグナリング要素（１３２；３４８）をさらに備える、請求項１ないし請求項９のいずれか１項に記載の駆動ユニット。
【請求項１１】
請求項１ないし請求項１０のいずれか１項に記載の駆動ユニット（１１０；３２８）を備える薬剤送達デバイス。
【請求項１２】
ハウジング（１０；３００）および薬剤送達部材ガード（５４；４３２）を備え、前記薬剤送達部材ガード（５４；４３２）は、前記ハウジング（１０；３００）に対する拡張位置と後退位置との間でスライド可能であり、かつ、前記薬剤送達部材ガード（５４；５４）のスライド動作が前記アクティベータ（１８０；３９８）を強制的に動作させるように前記アクティベータ（１８０；３９８）に対して動作可能に接続される、請求項１１に記載の薬剤送達デバイス。
【請求項１３】
薬剤容器（８６；３１８）を収容するように配置された薬剤容器ホルダー（６８；３１４）をさらに備える、請求項１２に記載の薬剤送達デバイス。
【請求項１４】
前記薬剤容器ホルダー（６８）は、前記薬剤容器（８６）を解放可能に保持するための保持部材（９６，１０８）を備える、請求項１３に記載の薬剤送達デバイス。
【請求項１５】
前記保持部材（９６，１０８）は、前記薬剤容器（８６）の動きを吸収するために弾力的に配置されている、請求項１４に記載の薬剤送達デバイス。
【発明の詳細な説明】
【技術分野】
【０００１】
本開示は薬剤送達デバイスに関し、特に、使いやすさのために多くの自動機能を備えた薬剤送達デバイスに関する。
【背景技術】
【０００２】
多くの自動注射器の解決策は、貫通、注射、引き抜き、薬剤送達部材ガード拡張などの薬剤送達デバイスのさまざまな機能を作動させかつ／または実行するために、長尺なハウジング内で概ね直線的に動く、いくつかのコンポーネントを含む。コンポーネントの直線的な動きは、多くの場合、一動作あたり一つの機能を伴い、これは、薬剤送達デバイスに複数の機能が含まれる場合、複雑さを増加させる。
【０００３】
特許文献１は、薬剤送達デバイスが使用される場合に、自動的に連続して作動する、いくつかの機能を備えた薬剤送達デバイスを開示している。できるだけ少ないコンポーネントで、さまざまな機能を提供するために、その外面および内面に要素が配置された管状の動作部材またはローテータが提供され、これらの要素は、ローテータの回転によって、複数の機能を提供するために、いくつかの機能要素と連携する。この解決策は、以前の薬剤送達デバイスと比較して、ごく少数のコンポーネントで完全な機能を提供する。デザインは非常に成功し、高く評価されているが、さらに進化させることができる、例えばアセンブリ等のデザインについての、いくつかの側面が存在する。
【先行技術文献】
【特許文献】
【０００４】
【特許文献１】国際公開第２０１１／１２３０２４号パンフレット
【発明の概要】
【発明が解決しようとする課題】
【０００５】
本解決策の目的は、少ないコンポーネントしか持たない、複数の自動機能を有する薬剤送達デバイスを提供することであり、これは、従来の薬剤送達デバイスと比較して、構造が簡素でかつ安価な薬剤送達デバイスを実現する。
【課題を解決するための手段】
【０００６】
この目的は、独立請求項に記載の特徴を備えた薬剤送達デバイスによって達成される。薬剤送達デバイスの好ましい実施形態は従属請求項の対象である。
【０００７】
主要な態様によれば、薬剤送達デバイス用の駆動ユニットが提供され、この駆動ユニットは、長手方向に延在する長尺なプランジャーロッドと、この長尺なプランジャーロッドに駆動力を加えることができる駆動力要素とを備える。さらに、アクチュエータは、駆動力要素が長尺なプランジャーロッドに駆動力を及ぼしているときに、付勢状態で長尺なプランジャーロッドを解放可能に保持するために、長尺なプランジャーロッドに動作可能に接続されてもよい。
【０００８】
さらに、アクティベータは、アクチュエータを保持位置に解放可能に保持するために、アクチュエータに動作可能に接続されてもよく、アクチュエータは、プランジャーロッドを解放するためのアクティベータの変位時に、長手方向に対して概ね横方向に、保持位置から動作可能であるように設計されてもよい。したがって、薬剤送達デバイス用の駆動ユニットに関する従来の解決策とは対照的に、アクチュエータは、プランジャーロッドを解放するために、長手方向にではなく横方向に動作可能である。これは、アクチュエータの長手方向の動作に対応するために、駆動ユニットを含む薬剤送達デバイスを長くする必要がないという点で有利である。
【０００９】
さらなる態様によれば、プランジャーロッドには、アクチュエータ上の対応する協働作用要素と相互作用するように配置された協働作用要素が設けられてもよく、アクチュエータは、協働作用要素および対応する協働作用要素が長尺なプランジャーロッドを付勢状態で解放可能に保持するために互いに相互作用する保持位置と、協働作用要素および対応する協働作用要素が、長尺なプランジャーロッドが付勢状態から解放されるよう、もはや互いに相互作用しない解放位置との間で、長手方向に対して概ね横方向に移動可能であってもよい。これに関して、協働要素は少なくとも一つの半径方向に延在する突起であってもよく、対応する協動要素は少なくとも一つの停止レッジであってもよい。
【００１０】
好ましい解決策によれば、長尺なプランジャーロッドに作用する付勢された駆動力要素からの力によって、半径方向に延びる突起が停止レッジに沿ってスライドできるように、停止レッジは長手方向に対して傾斜を有していてもよく、これによって、アクティベータが長手方向に移動させられると、アクチュエータは保持位置から解放位置へと強制的に移動させられる。
【００１１】
さらに、アクチュエータには、上記プランジャーロッド上の突起と相互作用するガイド要素を備えていてもよい。また、アクチュエータは、上記アクティベータによって保持位置に保持されてもよく、アクティベータは、アクチュエータをブロックする第１の位置とアクチュエータをブロックしない第２の位置との間で、アクチュエータに対して長手方向にスライド可能に配置されてもよい。これに関して、アクティベータは、当該アクティベータが第２の位置に到達するまで、アクチュエータのガイド面と協働するように構成されたガイド面を備えていてもよい。代替例として、アクティベータは、略管状のローテータのように、保持位置と第２の位置との間で回転可能であってもよい。
【００１２】
駆動ユニットはさらに、プランジャーロッドを案内および支持するように設計されたプランジャーロッドホルダーを備えていてもよい。これに関して、プランジャーロッドホルダーは、その中にプランジャーロッドの突起が嵌合して、スライドすることができる長手方向に延在するスリットを備えていてもよい。さらに、プランジャーロッドホルダーは、その上にアクチュエータが載ることができる支持面を備えていてもよい。また、プランジャーロッドホルダーの近位端部または支持面には、動作支援を実現するために薬剤容器の遠位端部と相互作用することができる弾性支持要素が設けられていてもよい。
【００１３】
別の好ましい解決策によれば、駆動ユニットは、プランジャーロッドと相互作用して、プランジャーロッドの動作中に可聴情報および触覚情報を提供することができるシグナリング要素を備えることができる。これに関して、シグナリング要素は、プランジャーロッドの外面と接触する弾性アームまたは舌片として配置されてもよく、プランジャーロッドは、シグナリング要素の動作の突然の変化を提供する突起およびリセスを備え、これにより可聴情報および触覚情報を提供する。
【００１４】
好ましい解決策では、駆動ユニットは、プランジャーロッドホルダーに固定的に接続されたエンドキャップを備えることができ。さらに、エンドキャップは、駆動ユニットを薬剤送達デバイスのハウジングに取り付けるための取り付け要素を備えることができる。これに関して、アクティベータスプリングは、エンドキャップとアクティベータとの間に配置されてもよく、アクティベータスプリングはアクティベータを第１の位置において付勢する。
【００１５】
好ましい解決策によれば、薬剤送達デバイスは、本出願による駆動ユニットを備えることができる。これに関して、薬剤送達デバイスは、ハウジングおよび薬剤送達部材ガードを備えていてもよく、薬剤送達部材ガードは、ハウジングに対して拡張位置と後退位置との間でスライド可能であってもよく、そして薬剤送達部材ガードのスライド動作がアクティベータを強制的に動作させるように、当該アクティベータに動作可能に接続されていてもよい。
【００１６】
本出願による駆動ユニットを備えた薬剤送達デバイスのさらなる態様によれば、薬剤送達デバイスは、薬剤容器を収容するように配置された薬剤容器ホルダーを備えることができる。これに関して、薬剤容器ホルダーは、薬剤容器を解放可能に保持するための保持部材を備えることができる。特に、保持部材は、薬剤容器のあらゆる動きを吸収するために弾性的に配置されてもよい。あるいは、保持部材は薬剤送達デバイスのハウジングの一部として配置されてもよい。
【００１７】
本発明の上記およびその他の態様ならびに本発明による利点は、以下の本発明の詳細な説明および添付図面から明らかになるであろう。
【００１８】
以下の詳細な説明では添付図面を参照する。
【図面の簡単な説明】
【００１９】
【図１】本出願による薬剤送達デバイスの第１実施形態の分解図である。
【図２】図１の薬剤送達デバイスの近位端部および保護キャップの詳細図である。
【図３ａ】図１の薬剤送達デバイスの断面図である。
【図３ａ】図１の薬剤送達デバイスの断面図である。
【図４】図１の薬剤送達デバイスに含まれるコンポーネントの詳細図である。
【図５】図１の薬剤送達デバイスに含まれるコンポーネントの詳細図である。
【図６】図１の薬剤送達デバイスに含まれるコンポーネントの詳細図である。
【図７】図１の薬剤送達デバイスに含まれるコンポーネントの詳細図である。
【図８】図１の薬剤送達デバイスに含まれるコンポーネントの詳細図である。
【図９】図１の薬剤送達デバイスに含まれるコンポーネントの詳細図である。
【図１０】図１の薬剤送達デバイスに含まれるコンポーネントの詳細図である。
【図１１】図１の薬剤送達デバイスに含まれるコンポーネントの詳細図である。
【図１２】図１の薬剤送達デバイスに含まれるコンポーネントの詳細図である。
【図１３】図１の薬剤送達デバイスに含まれるコンポーネントの詳細図である。
【図１４】異なる機能的状態を示す、図１の薬剤送達デバイスの部分断面図である。
【図１５】異なる機能的状態を示す、図１の薬剤送達デバイスの部分断面図である。
【図１６】異なる機能的状態を示す、図１の薬剤送達デバイスの部分断面図である。
【図１７】異なる機能的状態を示す、図１の薬剤送達デバイスの部分断面図である。
【図１８】異なる機能的状態を示す、図１の薬剤送達デバイスの部分断面図である。
【図１９】異なる機能的状態を示す、図１の薬剤送達デバイスの部分断面図である。
【図２０】異なる機能的状態を示す、図１の薬剤送達デバイスの部分断面図である。
【図２１】異なる機能的状態を示す、図１の薬剤送達デバイスの部分断面図である。
【図２２】異なる機能的状態を示す、図１の薬剤送達デバイスの部分断面図である。
【図２３】第２実施形態のコンポーネントの詳細図である。
【図２４】第２実施形態のコンポーネントの詳細図である。
【図２５】第２実施形態のコンポーネントの詳細図である。
【図２６】第２実施形態のコンポーネントの詳細図である。
【図２７】第２実施形態のコンポーネントの詳細図である。
【図２８】第２実施形態のコンポーネントの詳細図である。
【図２９】第２実施形態のコンポーネントの詳細図である。
【図３０】第２実施形態のコンポーネントの詳細図である。
【図３１】第２実施形態のコンポーネントの詳細図である。
【図３２】第２実施形態のコンポーネントの詳細図である。
【図３３】異なる機能的状態を示す、第２実施形態の部分断面図である。
【図３４】異なる機能的状態を示す、第２実施形態の部分断面図である。
【図３５】異なる機能的状態を示す、第２実施形態の部分断面図である。
【図３６】異なる機能的状態を示す、第２実施形態の部分断面図である。
【図３７】異なる機能的状態を示す、第２実施形態の部分断面図である。
【図３８】異なる機能的状態を示す、第２実施形態の部分断面図である。
【図３９】異なる機能的状態を示す、第２実施形態の部分断面図である。
【図４０】異なる機能的状態を示す、第２実施形態の部分断面図である。
【発明を実施するための形態】
【００２０】
以下の詳細な説明では、本明細書の一部を形成する添付の図面を参照する。図面において、文脈が他のことを指示しない限り、類似の参照符号は一般に類似のコンポーネントを識別する。詳細な説明、図面および特許請求の範囲に記載されている例示的な実施形態は、限定することを意味するものではない。本明細書に提示される主題の趣旨または範囲から逸脱することなく、その他の実施形態を利用することができ、その他の変更を行うことができる。本開示の態様は、本明細書で一般的に説明され、図に示されるように、多種多様な異なる構成で配置、置換、結合、分離および設計でき、その全てが本明細書中で明示的に企図されることは容易に理解されるであろう。
【００２１】
本開示において、「遠位部分／端部」という用語が使用される場合、これは、患者の薬剤送達部位から最も遠くに位置する送達デバイスの部分／端部、またはその部材の部分／端部を指す。同様に、「近位部分／端部」という用語が使用される場合、これは、患者の薬剤送達部位の最も近くに位置する送達デバイスの部分／端部、またはその部材の部分／端部を指す。
【００２２】
図面に示される薬剤送達デバイスは、近位端部Ｐおよび遠位端部Ｄを有する、略管状の長尺なハウジング１０を備える（図１）。ハウジングの近位端部は、直径が減少した領域１２を備えており（図２）、その領域には、保護キャップ１４を、好ましくは摩擦嵌合によって取り付けることができる。保護キャップ１４の遠位端面１６と、縮径領域１２とハウジング１０の残部との間の近位方向に向けられた面１８とは、カム形状の表面１６，１８が保護キャップ１４の近位方向の動きをもたらすように保護キャップ１４をハウジング１０に対して回転させたとき、保護キャップ１４の取り外しが容易になるようにカム形状を備えている（図２）。保護キャップ１４の摩擦嵌合接続に加えて、またはその代わりに、キャップを保持する構造的機能が存在してもよい。図示の実施形態では、保護キャップ１４は、当該保護キャップ１４の内面のリセス２２と相互作用するように設計された内側に向けられた突起２０を備える。保護キャップ１４は、図示されている実施形態では管状要素である薬剤送達部材シールドリムーバー２４を備える。それは、保護キャップ１４の蓋３０の内面上の保持要素と係合する外側に向けられたフランジ２６を備える（図３）。薬剤送達部材シールドリムーバー２４は、内向きに傾斜させられかつ近位方向に向けられた舌片の形態の把持要素３２をさらに備える。舌片３２は、薬剤送達部材シールド（図示せず）の外面を把持するように意図されている。
【００２３】
ハウジング１０の内側には、中央通路３６を有するリング形状の横方向の支持壁３４をその近位領域に備える支持構造体がさらに設けられている（図４ａ）。支持壁３４は、通路３６の反対側にある二つの架橋部分３７を介してハウジングの内面に取り付けられており、これによって、二つの弧状通路３８が支持壁３４とハウジング１０との間に形成される（図４ａ）。弧状通路３８の遠位側には、二つの長手方向に延びるレッジ３９が配置されており（図６）、当該レッジ３９は、断面で見られるように、概ねダブテール形状を有している。架橋部分３７はさらに、ハウジング１０の内部から内向きに延びる壁部分４０と相互接続されて、略長方形の形状を形成し、ここでは長方形の領域の材料が除去され、窓４２が形成されている（図４ａ）。さらに、いくつかの突起４４が、窓４２に隣接してハウジング１０の外面上に配置されており、これは薬剤送達デバイスの回転に対するストッパーとして設計されている。しかしながら、突起４４は、ハウジング１０のその他の領域に配置されてもよく、この場合にも同じ機能が発揮されることを理解されたい。
【００２４】
さらに、窓の遠位側には略Ｕ字形の切り欠き４６が設けられ、これは、概して半径方向に可撓性のある近位方向に向けられた舌片４８を形成する。さらに、図５に見られるように、長方形の切り欠き５０が舌片４８の自由端に形成され、これはハウジング内へと延在する。ハウジングの内面には、長手方向方向に延在する溝５２が、ハウジングの遠位端部から、ほとんど舌片４８の長さまで配置される。
【００２５】
薬剤送達デバイスはさらに薬剤送達部材ガード５４をさらに備え（図６ａおよび図６ｂ）、これは、ハウジングの近位通路５６を通って延在する。薬剤送達部材ガード５４は、略管状の本体５８を有し、この本体５８は近位円形通路６０を備える。近位通路６０は、近位方向に向けられた支持面を提供する半径方向に延在するフランジ６２を備える。さらに、薬剤送達部材ガード５４の本体５８の遠位端部には二つの遠位方向に向けられたアーム６４が設けられ、当該アームは通路３８に嵌合すると共にハウジング１０内へと延在するように設計されている。アーム６４は、長手方向方向に延在するスリット６６を有するように設計されている。スリット６６の幅は遠位方向に狭められており、断面図に見られるようにダブテール形状が付与されている（その機能については以下で説明する）。本体５８の内面には長手方向に延びるリブ６７が設けられている（図６ｂ）。
【００２６】
薬剤送達部材ガード５４と同軸でかつその内部に存在するのが、略長方形の本体７０を有する薬剤容器ホルダー６８であり（図７および図８）、この本体７０は、両側面に長方形の開口７２を備える。開口７２は、本体７０の半円形セクションで終端する内側に向けられた壁セクション７４を備える。薬剤容器ホルダー６８は、遠位方向に外向きに先細になる、対向するように配置された表面７８を有する遠位セクション７６をさらに備え、ここで、テーパー面７８の遠位領域８０は支持面として配置される。薬剤容器ホルダー６８の遠位端部には、薬剤容器８６のフランジ８４（図７）用のシート８２が設けられる。薬剤容器８６は長尺な管状本体を有し、その中にはストッパー８８が移動可能に配置される。薬剤容器の近位端部には、図示の実施形態のように、注射針などの薬剤送達部材９０が設けられている。
【００２７】
さらに、フランジ８４の側面は、シート８２の壁９２によって、または少なくとも主要壁セクションによって完全に取り囲まれる。シート８２はさらに、フランジ８４の近位表面と接触するための遠位方向に向けられた支持面９４を備える。薬剤容器ホルダー６８の近位端部には、その近位端部に半径方向内側に向けられたフランジ９８を有する略管状の支持要素９６が配置され（図８）、これは、それを薬剤送達部材９０が通過し得る円形通路１００を提供する。支持要素９６は、弧状の壁セクション１０２を介して本体７０の近位端部に接続されている。壁セクション１０２の反対側には、スリット１０４が、そのフランジ９８を備えた支持要素９６を通って設けられており、これによって支持要素９６には、近位端部から見たときにＣ字形が付与されている。さらに三つのスリット１０６がフランジ９８の周囲に等距離に配置されている。スリット１０４に隣接する「Ｃ」の端部には、二つの遠位方向に向けられたアーム１０８が配置され（図８）、当該アーム１０８は本体７０の近位端部に接続されている。アーム１０８は、遠位方向外側にいくらか傾斜させられており、接続点に隣接して薄くされている。アーム１０８およびスリット１０４の設計は、以下に説明するように、支持要素９６の弾性的に撓む作用を提供する。
【００２８】
さらに、薬剤送達デバイスはパワーパック１１０を備える（図９）。パワーパック１１０は、概ね長尺なプランジャーロッド１１２を備える。プランジャーロッド１１２は中空であり、駆動力スプリング１１４がプランジャーロッド１１２の内部に配置される。駆動力スプリング１１４は、プランジャーロッド１１２の近位端部壁１１６に作用している（図３）。駆動力スプリングの内側には、スプリングガイド１１７が配置されている。プランジャーロッド１１２と同軸で、かつ、その外側にはプランジャーロッドホルダー１１８が存在する。プランジャーロッドホルダー１１８は、薬剤送達部材ガード５４のアーム６４が通過できるようにプレート１２０とハウジング１０の内面との間に通路が形成されるように二つの逆向きに配置された切り欠き１２２を除いて、ハウジング１０の内部断面形状に概ね対応する形状を有する横断プレート１２０を含む（図１０）。
【００２９】
さらに、二つの外側に向けられた矩形状の突起１２４がプレート１２０の縁の両側に配置されており、これらの突起１２４は、ハウジング１０の矩形状の切り欠き５０内に嵌合し、これによってプランジャーロッドホルダー１１８をハウジング１０に対してロックするように設計されている。さらに、プレート１２０の近位表面は、概ね長手方向に可撓性を有しかつ薬剤容器８６と接触すると共に薬剤容器８６を近位方向に押しやるように設計された、近位方向に向けられた弧状の支持要素１２６を備え、これによって薬剤容器８６のがたつきまたは動きが排除あるいは最小化される。中央の円形通路１２８がプレート１２０に配置されている。
【００３０】
さらに、二つのアーム１３０は、通路１２８の各側で、プランジャーロッドホルダー１１８のプレート１２０から遠位方向に延在している。アーム１３０の内向き表面は、プランジャーを案内および支持するために、断面で見られるように、湾曲した形状を有する。プランジャーロッドホルダー１１８は、シグナリング要素１３２をさらに備える（図１０ｂ）。シグナリング要素は、近位方向に配置されかつ略半径方向に可撓性を有するアーム１３４を備える。アーム１３４の自由端部は、横断ビームなどの接触要素１３６と相互接続されている。横断ビーム１３６は、以下に説明するように、プランジャーロッド１１２がプランジャーロッドホルダー１１８に対して移動させられたときに、音、そしておそらくは振動を発生させるために、プランジャーロッド１１２、特にプランジャーロッド１１２に沿った複数の突起および／またはリセス１３８と接触するように設計されている。
【００３１】
アーム１３０の遠位端部は、外向きに平坦な表面１３９を備え、この表面上には、クサビ形状の突起１４０が設けられている。クサビ形状の突起１４０は、エンドキャップ１４４の近位方向に向けられたアーム１４２のリセス１４１と相互作用することになる（図１１）。アーム１４２は、エンドキャップ１４４の略ドーム形状の本体１４６に取り付けられる。本体１４６の近位表面には、その中にスプリングガイド１１７の遠位端部ならびに駆動スプリング１１４の遠位端部が配置されるシート１４８を備える。さらに、長手方向に向けられたリブ１５２がアーム１４２の内面に配置されている。リブ１５２は、プランジャーロッドホルダー１１８のアーム１３０の遠位端部の切り欠き１５４と相互作用するように設計されている。
【００３２】
パワーパック１１０はさらに、以下ではスライダー１６０と呼ばれるアクチュエータ１６０を備える（図１２）。スライダー１６０は、プランジャーロッドホルダー１１８と同軸に配置されかつそれを取り囲む中空管状本体１６２を備える。この管状本体は、プランジャーロッドホルダー１１８のプレート１２０の遠位方向に向けられた表面と接触するように配置された、近位方向に向けられた端面を有する。スライダー１６０の本体１６２の内部は、以下に説明するように、プランジャーロッドホルダー１１８のアーム１３０に対して、それが横方向に移動できるように構成されている。スライダー１６０の本体１６２は、外側および内側の両方において概ね平坦である二つの遠位方向に向けられたアーム１６４を備えている。スライダー１６０の内面には長手方向に延びる溝１６６が設けられている。アーム１６４の遠位端部において、溝１６６が切り欠き１６８に接続されており、この切り欠き１６８は、傾斜した遠位方向に向けられた支持表面１７０を備えている。切り欠き１６８および溝１６６は、以下で説明するように、プランジャーロッド１１２の遠位端部上の半径方向に向けられた突起１７２と相互作用する。アーム１６４の外面には長手方向のレッジ１７４が配置されており、これはガイド面を形成する。レッジ１７４は遠位端部で面取りされている。レッジ１７４の片側にはさらに、隆起領域１７６が配置されており、その機能については以下で説明する。さらに、横方向に配置されたクサビ形状の突起１７８が、アーム１６４の外面に配置されている。
【００３３】
略管状の本体１８２を有する、以下ではロックスリーブ１８０（図１３）と呼ばれるアクティベータは、ハウジング１０と同軸に、かつ、ハウジング１０の遠位端部から、その内部でスライド可能であるように配置されている。ロックスリーブ１８０の本体１８２の外面は長手方向に延びるレッジ１８４を備えており、当該レッジ１８４は、ハウジング１０の内面の長手方向溝５２に嵌合して、ロックスリーブ１８０の回転を防止するように構成される。ロックスリーブ１８０には、概ね半径方向に可撓性を有する近位方向に向けられた舌片１８８がさらに設けられる。舌片１８８の自由端部には、内側に向けられた突起１９０が設けられる。さらに、ロックスリーブ１８０の遠位端部には、互いに逆向きに配置され、ガイド面を形成する二つの長手方向に延びるレッジ１９２が設けられる。レッジ１９２は、以下に説明するように、スライダー１６０の外向きレッジ１７４と相互作用するためのものである。さらに、いくつかの内側に向けられたレッジ１９４が設けられ、これは、スライダー１６０およびプランジャーロッドホルダー１１８のためのガイド表面を形成する。さらに、ロックスリーブ１８０の遠位領域１９６は本体１８２の残部よりも小さい直径を有し、これは遠位方向に向けられた環状リッジ１９８を形成する。ロックスリーブスプリング２００は、ロックスリーブ１８０の遠位レッジ１９８と、エンドキャップ１４４の近位表面との間に配置される。
【００３４】
薬剤送達デバイスは、以下のように組み立てられることが意図されている。注射器などの薬剤容器８６には、剛性針シールドまたはＲＮＳなどの薬剤送達部材シールドが設けられる。ＲＮＳを備えた薬剤容器８６は、遠位端部から薬剤容器ホルダー６８内に挿入される。ＲＮＳが薬剤容器ホルダー６８のＣ字形支持要素９６の通路１００に入り、そのＣ字形支持要素９６と接触すると、ＲＮＳは、スリット１０４のために、支持要素９６を、傾斜したアーム１０８の力に抗して半径方向に撓ませる。支持要素の内側に向けられたフランジ９８がＲＮＳを通過すると、支持要素９６は、その本来の位置へ戻るように撓み、薬剤容器８６の肩部分と接触することができる。
【００３５】
薬剤送達部材ガード５４は、薬剤送達デバイスのハウジング内に正面から挿入され、薬剤送達部材ガード５４のアーム６４は弧状通路３８を通過し、そしてレッジ３９が薬剤送達部材ガード５４のスリット６６のより広い領域に位置させられ、レッジ３９がスリット６６内に配置されるようにアーム６４が外側に曲がることを可能にするまで、ダブテールレッジ３９と接触しているとき内側に曲がる。続いて、薬剤送達部材ガード５４が近位方向に引っ張られ、これによってダブテールレッジ３９はスリット６６のダブテール部内に入る。続いて、薬剤容器ホルダー６８は薬剤送達部材ガード５４内に挿入される。
【００３６】
パワーパック１１０は、近位端部表面１６３がプレート１２０の遠位表面と接触するまで、スライダー１６０がプランジャーロッドホルダー１１８に対して、その遠位端部から押し付けられることで組み立てられる。次に、ロックスリーブ１８０がスライダー１６０上に押し込まれ、図１４に見られるように、薬剤送達デバイスが近位端部を下に向けて垂直に保持されるとき、ロックスリーブ１８０の内側レッジ１９２はスライダー１６０上の外側レッジ１７４の右側に配置される。スライダー１６０は、このとき、横方向に初期位置にある。続いて、プランジャーロッド１１２がプランジャーロッドホルダー１１８に挿入され、スライダー１６０のこの位置において、プランジャーロッド１１２の突起１７２は、スライダー１６０の内面上の切り欠き１６８の傾斜した支持表面１７０と接触し（図１５）、したがってプランジャーロッド１１２はスライダー１６０に対して近位方向に移動することが阻止される。駆動力スプリング１１４は、ここで、スプリングガイド１５０と共にプランジャーロッド１１２内に導入される。
【００３７】
この後、駆動力スプリング１１４およびスプリングガイド１５０の遠位端部はエンドキャップ１４４のシート１４８内に配置され、エンドキャップ１４４は、プランジャーロッドホルダー１１８に向かって近位方向に押し込まれ、これにより駆動力スプリング１１４を緊張させる。プランジャーロッドホルダー１１８のクサビ形状の突起１４０がエンドキャップ１４４のアーム１４２のリセス１４１内に入ると、エンドキャップ１４４はプランジャーロッドホルダー１１８に接続され、それに対してロックされる。駆動力スプリング１１４の緊張とは別に、エンドキャップ１４４とロックスリーブ１８０との間に配置されたロックスリーブスプリング２００もまた、エンドキャップ１４４がプランジャーロッドホルダー１１８に対して押し付けられたときに緊張させられる。
【００３８】
パワーパック１１０が組み立てられたハウジング１０と組み合わされるとき、パワーパック１１０の近位端部はハウジング１０の遠位端部内に導入され、そしてプランジャーロッドホルダー１１８のプレート１２０上の長方形の突起１２４がハウジング１０の舌片４８を通過し、舌片４８およびハウジング１０の長方形の切り欠き５０内に嵌合するまで押し込まれる。同時に、プランジャーロッドホルダー１１８の弧状の支持要素１２６は薬剤容器８６のフランジ８４の遠位表面と接触状態で移動させられ、がたつきを排除するために近位方向にそれを押しやる。さらに、保護キャップ１４が薬剤送達デバイスの近位端部に接続される。次に、薬剤送達部材シールドリムーバー２４が薬剤送達部材シールドの上に押し込まれ、薬剤送達部材ガード５４の本体５８の内面上のリブ６７によって案内される。このリブ６７は、保護キャップ１４がある角度で表面に当たるように薬剤送達デバイスを落とした場合に薬剤送達部材シールドの支持面としても機能する。この衝撃は、薬剤送達部材シールドリムーバー２４から薬剤送達部材シールドへの曲げ力を発生させ、これは薬剤容器８６の近位部分の破損を引き起こす可能性がある。この曲げ力は、リブ６７によって吸収される。
【００３９】
これで薬剤送達デバイスが使用できる状態となる。続いて、使用者は、ハウジングに対して保護キャップを引っ張ることによりかつ／またはねじることにより、保護キャップ１４を取り外す。この操作により、把持要素３２は、薬剤送達部材ガードが薬剤送達部材９０から取り外されるように、薬剤送達部材ガードの材料と係合させられる。次のステップは、薬剤送達部材ガード５４の近位端部を用量送達部位に配置し、薬剤送達デバイスをその部位に向けて押し付けることである。薬剤送達部材ガード５４は、続いて、薬剤送達デバイスの残りの部分に対して遠位方向に移動する。薬剤送達部材ガード５４の遠位端面はロックスリーブ１８０と接触しているため、ロックスリーブ１８０もまた遠位方向に移動し、ロックスリーブスプリング２００を圧縮する。ロックスリーブ１８０の内側レッジ１９２は、ロックスリーブレッジ１９２の遠位端部がスライダー１６０の外側レッジ１７４との接触状態を脱するように移動させられるまで、スライダー１６０の外側レッジ１７４に沿ってスライドし、これによってスライダー１６０を解放する（図１６）。
【００４０】
ここで、スライダー１６０が解放されると、その遠位領域は、プランジャーロッド１１２の突起１７２がスライダー１６０の内側の長手方向溝１６６まで移動するように、緊張させられたプランジャーロッド１１２の突起１７２からの、切り欠き１６８の傾斜した支持表面１７０への力によって、矢印Ｔで示されるように、概ね横方向に移動させられる(図１７)。しかしながら、傾斜した支持表面１７０とスライダー１６０の遠位領域の突起との間の接触点により、スライダー１６０の傾斜動作が生じる。これを容易にするために、プランジャーロッドスリーブ１１８のプレート１２０の遠位表面と接触しているスライダー１６０の近位端部表面１６３は、スライダー１６０を動作させるための力を減少させるために、いくらか丸められてもよい（図１３ｃ）。図１８に見られるように、スライダーの遠位領域の横方向の動作はまた、そのレッジ１７４を、ロックスリーブ１８０のレッジ１９２に対して横方向に動作させている。
【００４１】
プランジャーロッド１１２は、いま、駆動スプリング１１４によって近位方向に自由に動くことができ、これによってプランジャーロッド１１２の突起１７２は溝１６６に沿ってスライドし、スライダー１６０の残部をも概ね横方向に押しやる（図１９）。プランジャーロッド１１４の動作によって薬剤容器８６のストッパー８８が移動させられ、次に、薬剤の投与量が薬剤送達部材９０を介して投与量送達部位に送達される。投与量送達手順の間、シグナリング要素１３２はアクティブであり、ビーム１３６がプランジャーロッド１１２の突起／リセス１３８上を移動するという点で手順が進行中であることをユーザーに示す（図２０）。シグナリング要素１３２が投与量送達手順の終わりに非アクティブになるとき、これは、薬剤送達デバイスを投与量送達部位から取り外すことが安全であることをユーザーに示す。
【００４２】
ここで薬剤送達デバイスが取り外されると、ハウジング１０の内面のダブテールレッジ３９が薬剤送達部材ガード５４におけるスリット６６の遠位端部と接触し（図２１）、これによって薬剤送達部材９０が薬剤送達部材ガードによって覆われるまで、薬剤送達部材ガード５４は、ロックスリーブ１８０に作用するロックスリーブスプリング２００によって自由に近位方向に押しやられる。さらに、ロックスリーブ１８０の動きによって、図２２に見られるように、そのレッジ１９２は、反対側のスライダー１６０のレッジ１７４を通過させられる。さらに、近位方向へのロックスリーブ１８０の動きは、ロックスリーブ１８０の柔軟な舌片１８８上の突起１９０を、いまや長手方向位置に整列させられたスライダー１６０のクサビ形状の突起１７８と接触させ、そしてその上で移動させ（図２２）、これによってロックスリーブ１８０を、したがって薬剤送達部材ガード５４を遠位方向にロックする。これでデバイスは安全に廃棄できる。
【００４３】
図２３ないし図４０は、本出願による薬剤送達デバイスの第２実施形態を示している。第２実施形態のハウジング３００は、中央通路３０４を有する横断壁３０２を有する（図２３）。ブリッジ部分３０６は、横断壁３０２をハウジング３００の内面と接続している。ブリッジ部分３０６は通路３０８を備えており、この通路３０８は半径方向外側に向けられた突起３１０を備える。この突起３１０は、通路３０８内に嵌合する薬剤容器ホルダー３１４の近位方向に向けられた舌片３１２と相互作用するよう意図されている。薬剤容器ホルダー３１４の舌片３１２にはさらに切り欠き３１６が設けられ、この切り欠き３１６には、回転および軸方向の両方に関して薬剤容器ホルダー３１４をハウジングに対してロックするために突起３１０が嵌合する（図２４）。この実施形態の薬剤容器ホルダー３１４は、近位端部に支持要素を持たない。代わりに、ハウジング３００の横断壁３０２は、薬剤容器３１８の近位端部のための支持要素として機能し、薬剤容器３１８のネック部分は、中央通路の周りの横断壁３０２の遠位方向に向けられた周面に当接する。薬剤容器ホルダー３１４の側面には、図２４に見られるように、ハウジング３００の開口３２２と整列させられる長方形の壁セクション３２０がさらに設けられる。薬剤容器ホルダー３１４の遠位端部は、薬剤容器３１８のフランジ３２６のための支持面３２４を備える（図２３）。
【００４４】
さらに、本実施形態のパワーパック３２８は、以下に説明するように、いくつかの変更されたコンポーネントを備えている。図２６および図２７に見られるように、プランジャーロッドホルダー３３０には近位エンドプレート３３２が設けられている。エンドプレート３３２の外面には、ハウジング３００の内面の長手方向溝３３６内に嵌合する外側に向けられた突起３３４が設けられている（図２８）。溝３３６はアバットメント３３８で終端し、これはプランジャーロッドホルダー３３０を近位方向において停止させる。さらに、エンドプレート３３２の近位表面には、概ね長手方向に可撓性を有すると共に薬剤容器３１８と接触して、近位方向にそれを押しやるように設計された、近位方向に向けられた弧状の支持要素３４０が設けられ、これによって薬剤容器３１８のがたつきまたは動きが排除または最小化される。中央の円形通路３４２がエンドプレート３３２に配置される。
【００４５】
エンドプレート３３２はさらに、プランジャーロッド３４６を取り囲む湾曲した内面を備えた遠位方向に向けられたアーム３４４を備える。エンドプレート３３２に隣接するアーム３４４の部分は、外側に向けられた長方形の突起３４７として形成される。この突起３４７において、シグナリング要素３４８は、概ね半径方向に可撓性を有する近位方向に向けられた舌片３５０の形態で配置される。舌片３５０の自由端部には、内側に向けられたレッジ３５２が設けられており、このレッジ３５２は、プランジャーロッド３４６の外面上の突起／リセス３５４と協働するように配置されている。アーム３４４の遠位領域は、概ね平坦な外面３５６を有する。
【００４６】
プランジャーロッドホルダー３３０のアーム３４４の遠位端部には、切り欠き３５８が配置されている。この切り欠き３５８は、エンドキャップ３６４の近位方向に向けられた面に取り付けられた、中央の、近位方向に向けられた管状ポスト３６２上の外側に向けられたレッジ３６０と協働する（図２９）。エンドキャップ３６４は、ほぼ管状の本体３６６を有し、この本体３６６は、近位方向に向けられたレッジ３６８を形成する近位端面を有する。端壁３７０は本体３６６に取り付けられるか、または本体３６６と一体とされる。ポスト３６２は、プランジャーロッドホルダー３３０のアーム３４４の断面寸法に概ね対応する直径を有し、ポスト３６２はアーム３４４間に嵌合し、レッジ３６０は切り欠き３５８内に嵌合し、プランジャーロッドホルダー３３０に対してエンドキャップをロックする。さらに、エンドキャップ３６４は、ハウジング３００の遠位領域で切り欠き３７４と相互作用する外側に向けられた突起３７２を備えており、これによって、エンドキャップ３６４をハウジング３００の遠位端部に対してロックする。
【００４７】
プランジャーロッドホルダー３３０と同軸で、それを取り囲んでいるのがアクチュエータ３７６であり、これ以降、スライダーと呼ぶ（図２６および図３０）。スライダー３７６は、その近位端部に、概ね管状の本体３７８を備える。スライダー３７６の近位端面３８０は、プランジャーロッドホルダー３３０のエンドプレート３３２の遠位表面と接触するように設計されている。近位端面３８０は、好ましくは、先の実施形態と同様に、いくらか丸みを帯びている。スライダー３７６の本体３７８はさらに、その中にプランジャーロッドホルダー３３０の長方形の突起３４７が嵌合する長方形の切り欠き３８２を備えている。スライダー３７６の本体３７８は、二つの遠位方向に向けられた、概ね平坦なアーム３８４を備えている。アーム３８４の外面は、概ね長手方向に延びるレッジ３８６を備えている。レッジ３８６の近位端部には傾斜面３８８が設けられる。アームの外面は、停止レッジを形成する、外側に向けられたクサビ形状の突起３８９をさらに備える。アーム３８４の内面は、その遠位端部に切り欠き３９０を備えており、切り欠き３９０は、傾斜した支持面３９２を備えている。切り欠き３９０から長手方向溝３９４が設けられ、これはスライダー３７６の近位端部まで延在している。切り欠き３９０および長手方向溝３９４は、プランジャーロッド３４６の遠位端部上の外側に向けられた突起３９６を収容するように意図されかつ設計されている。
【００４８】
スライダー３７６と同軸で、その外側にあるのがアクティベータ３９８であり、これを以下ではロックスリーブと呼ぶ（図２６、図３１および図３２）。ロックスリーブ３９８は、概ね管状の第１の近位本体部分４００を有する。第１の本体部分４００は、概ね長方形の切り欠き４０２を備えており、その中にはスライダー３７６の外面上の概ね長方形突起４０４が嵌合する。第１の本体部分４００は、概ね半径方向に可撓性を有する、遠位方向に向けられた舌片４０６をさらに備える。舌片４０６は、いくらか内向きに傾斜しており、舌片４０６の自由端部は遠位方向に向けられた停止面４０８を備えている。ロックスリーブ３９８はさらに、概ね管状の第２の遠位本体部分４１０を備えている。第２の遠位本体部分４１０は第１の部分よりも小さな直径を有し、これによって遠位方向に向けられたレッジ４１２を形成している。第２の本体部分４１０の内面には、プランジャーロッドホルダー３３０の平坦な外面３５６と接触して、それを横方向に支持するように配置された、長手方向に延びる支持レッジ４１３が設けられている。第２の本体部分４１０の内面には、長手方向に延びるガイドレッジ４１４がさらに設けられ、ガイドレッジ４１４は、後述するように、スライダー３７６のレッジ３８６と相互作用する。ロックスリーブスプリング４１６（図２５および図２６）は、ロックスリーブ３９８の遠位方向に向けられたレッジ４１２と、エンドキャップ３６４の近位方向に向けられたレッジ３６８との間に配置され、ロックスリーブ３９８を近位方向に付勢する。さらに、駆動スプリング４１８（図２５および図２６）は、近位端部がプランジャーロッド３４６の横方向近位端部壁４２０と接触しかつ遠位端部がエンドキャップ３６４の端壁３７０と接触した状態で、プランジャーロッド３４６の内側に配置されている（図２５）。駆動スプリング４１８の内側にはスプリングガイド４２２が配置されている。
【００４９】
第２実施形態の機能は、第１実施形態のものとほぼ同じである。パワーパック３２８は、先の実施形態とほとんど同じ方法で組み立てられるが、エンドキャップ３６４は、ハウジング３００の遠位部分の切り欠き３７４内に嵌合する、その外側に向けられた突起３７２を介してパワーパック３２８をハウジング３００に対してロックするという違いがある。ユーザーに送達されたとき、プランジャーロッド３４６は、スライダーの傾斜したレッジに乗っているプランジャーロッド３４６の突起３９６によって、駆動スプリング４１８が緊張した状態で保持される（図３３）。図３４に見られるように、突起３９６および傾斜した支持面３９２の接触面は特定のアンダーカットを有し、確実な接続を保証する。スライダー３７６は、ロックスリーブ３９８のガイドレッジがスライダー３７６のレッジと接触していることによって移動が抑止される。エンドキャップ４３０が取り外された後に薬剤送達デバイスが使用されるとき、近位端部は投与量送達部位に対して押し付けられ、これによって薬剤送達部材ガード４３２がハウジングに対して遠位方向に移動させられる。この動きは、ロックスリーブ３９８にも影響を与えるため、それはスライダー３７６に対して遠位方向に移動させられ、これによってロックスリーブ３９８のガイドレッジ４１４はスライダー３７６のレッジ３８６に沿ってスライドする（図３５）。この動作の間、ロックスリーブ３９８の傾斜した舌片４０６は傾斜面３８８に入り、スライダー３７６のレッジ３８６の外面に上るが（図３６）、これは、ロックスリーブ３９８の動作中、スライダー３７６に安定化効果を及ぼす。先の実施形態と同様に、ロックスリーブ３９８のガイドレッジ４１４がスライダー３７６のレッジ３８６との接触状態から脱するように動作させられるとスライダー３７６は解放され、これによって、駆動スプリング４１８からの力は、プランジャーロッド３４６を近位方向に付勢し、突起３９６がスライダー３７６の長手方向溝３９４に入るまでスライダー３７６の遠位端部が概ね横方向に移動させられるようにその突起３９６によってスライダー３７６の傾斜した支持面３９２に力を加え（図３７）、スライダー３７６の移動は、その近位端面３８０のわずかに湾曲した形状によって促進される。
【００５０】
プランジャーロッド３４６は駆動スプリング４１８によって近位方向に自由に移動させられ、次に、薬剤の投与量が投与量送達部位に送達されるように薬剤容器３１８のストッパー４３４を動かす。プランジャーロッド３４６の移動中、その突起はスライダー３７６を横方向に移動させる。さらに、プランジャーロッド３４６の移動中、シグナリング要素３４８は、プランジャーロッドホルダー３３０の舌片３５０のレッジ３５２がプランジャーロッド３４６の突起／リセス３５４に接触するために連続音を発生させる（図３８）。プランジャーロッド３４６がその最も近位の位置に到達すると（図３９）、このシグナル伝達は止まり、薬剤送達デバイスを取り外すことが安全であることをユーザーに示す。そうするとき、薬剤送達部材ガード５４は、ロックスリーブスプリング２００の力によって近位方向に拡張し、したがってロックスリーブ３９８もまた近位方向に移動する。この移動中、ロックスリーブ３９８の舌片４０６の端部にある停止面４０８は、薬剤送達部材ガード５４が薬剤送達部材４３６を覆っている位置で、スライダー３７６の停止レッジ３８９を通過するが（図４０）、これにより、薬剤送達部材ガード４３２の遠位方向への動きが防止され、薬剤送達部材４３６による偶発的な損傷が防止される。これで、薬剤送達デバイスは安全な方法で廃棄することができる。
【００５１】
上述すると共に図面に示される薬剤送達デバイスは、単に非限定的な例として見なされるべきであり、特許請求の範囲内で多くの方法で改変され得ることを理解されたい。
【符号の説明】
【００５２】
１０  ハウジング
１２  縮径領域
１４  保護キャップ
１６  遠位端面
１８  表面
２０  突起
２２  リセス
２４  薬剤送達部材シールドリムーバー
２６  フランジ
３０  蓋
３２  舌片（把持要素）
３４  支持壁
３６  中央通路
３７  架橋部分
３８  弧状通路
３９  ダブテールレッジ
４０  壁部分
４２  窓
４４  突起
４８  舌片
５２  長手方向溝
５４  薬剤送達部材ガード
５６  近位通路
５８  本体
６０  近位円形通路
６２  フランジ
６４  アーム
６６  スリット
６７  リブ
６８  薬剤容器ホルダー
７０  本体
７２  開口
７４  壁セクション
７６  遠位セクション
７８  表面（テーパー面）
８０  遠位領域
８２  シート
８４  フランジ
８６  薬剤容器
８８  ストッパー
９０  薬剤送達部材
９２  壁
９４  支持面
９６  Ｃ字形支持要素
９６  支持要素
９８  フランジ
１００  円形通路
１０２  壁セクション
１０４  スリット
１０６  スリット
１０８  アーム
１１０  パワーパック
１１２  プランジャーロッド
１１４  駆動力スプリング
１１６  近位端部壁
１１７  スプリングガイド
１１８  プランジャーロッドホルダー
１２０  横断プレート
１２４  突起
１２６  支持要素
１２８  円形通路
１３０  アーム
１３２  シグナリング要素
１３４  アーム
１３６  横断ビーム（接触要素）
１３８  リセス
１３９  表面
１４０  突起
１４１  リセス
１４２  アーム
１４４  エンドキャップ
１４６  本体
１４８  シート
１５０  スプリングガイド
１５２  リブ
１６０  スライダー（アクチュエータ）
１６２  中空管状本体
１６３  近位端部表面
１６４  アーム
１６６  長手方向溝
１７０  支持表面
１７２  突起
１７４  外側レッジ
１７６  隆起領域
１７８  突起
１８０  ロックスリーブ（アクティベータ）
１８２  本体
１８４  レッジ
１８８  舌片
１９０  突起
１９２  内側レッジ（ロックスリーブレッジ）
１９４  レッジ
１９６  遠位領域
１９８  環状リッジ
２００  ロックスリーブスプリング
３００  ハウジング
３０２  横断壁
３０４  中央通路
３０６  ブリッジ部分
３０８  通路
３１０  突起
３１２  舌片
３１４  薬剤容器ホルダー
３１８  薬剤容器
３２０  壁セクション
３２２  開口
３２４  支持面
３２６  フランジ
３２８  パワーパック
３３０  プランジャーロッドホルダー
３３２  近位エンドプレート
３３４  突起
３３６  長手方向溝
３３６  溝
３３８  アバットメント
３４０  支持要素
３４２  円形通路
３４４  アーム
３４６  プランジャーロッド
３４７  突起
３４８  シグナリング要素
３５０  舌片
３５２  レッジ
３５４  リセス
３５６  外面
３６０  レッジ
３６２  管状ポスト
３６４  エンドキャップ
３６６  本体
３６８  レッジ
３７０  端壁
３７２  突起
３７６  スライダー（アクチュエータ）
３７８  本体
３８０  近位端面
３８４  アーム
３８６  レッジ
３８８  傾斜面
３８９  突起（停止レッジ）
３９２  支持面
３９４  長手方向溝
３９６  突起
３９８  ロックスリーブ（アクティベータ）
４００  第１の近位本体部分
４０４  長方形突起
４０６  舌片
４０８  停止面
４１０  第２の遠位本体部分
４１２  レッジ
４１３  支持レッジ
４１４  ガイドレッジ
４１６  ロックスリーブスプリング
４１８  駆動スプリング
４２０  横方向近位端部壁
４２２  スプリングガイド
４３０  エンドキャップ
４３２  薬剤送達部材ガード
４３４  ストッパー
４３６  薬剤送達部材
【図１】
2020534959.tif 000003
【図２】
2020534959.tif 000004
【図３ａ】
2020534959.tif 000005
【図３ｂ】
2020534959.tif 000006
【図４ａ】
2020534959.tif 000007
【図４ｂ】
2020534959.tif 000008
【図５】
2020534959.tif 000009
【図６ａ】
2020534959.tif 000010
【図６ｂ】
2020534959.tif 000011
【図７】
2020534959.tif 000012
【図８】
2020534959.tif 000013
【図９】
2020534959.tif 000014
【図１０ａ】
2020534959.tif 000015
【図１０ｂ】
2020534959.tif 000016
【図１１】
2020534959.tif 000017
【図１２ａ】
2020534959.tif 000018
【図１２ｂ】
2020534959.tif 000019
【図１３ａ】
2020534959.tif 000020
【図１３ｂ】
2020534959.tif 000021
【図１３ｃ】
2020534959.tif 000022
【図１４】
2020534959.tif 000023
【図１５】
2020534959.tif 000024
【図１６】
2020534959.tif 000025
【図１７】
2020534959.tif 000026
【図１８】
2020534959.tif 000027
【図１９】
2020534959.tif 000028
【図２０】
2020534959.tif 000029
【図２１】
2020534959.tif 000030
【図２２】
2020534959.tif 000031
【図２３】
2020534959.tif 000032
【図２４】
2020534959.tif 000033
【図２５ａ】
2020534959.tif 000034
【図２５ｂ】
2020534959.tif 000035
【図２６】
2020534959.tif 000036
【図２７】
2020534959.tif 000037
【図２８】
2020534959.tif 000038
【図２９】
2020534959.tif 000039
【図３０】
2020534959.tif 000040
【図３１】
2020534959.tif 000041
【図３２】
2020534959.tif 000042
【図３３】
2020534959.tif 000043
【図３４】
2020534959.tif 000044
【図３５】
2020534959.tif 000045
【図３６】
2020534959.tif 000046
【図３７】
2020534959.tif 000047
【図３８】
2020534959.tif 000048
【図３９】
2020534959.tif 000049
【図４０】
2020534959.tif 000050
【国際調査報告】
2020534959.tif 000051
2020534959.tif 000052
2020534959.tif 000053